(57)【特許請求の範囲】
【請求項１】
テーブルタップケースに複数のコンセント口を備えて、各コンセント口に機器が接続可能とされ、当該テーブルタップケースの内部に、受信部と、使用電力演算部と、情報処理部と、警告発信部とを備え、最大使用許容電力が設定された  テーブルタップであって、
前記複数のコンセント口のいくつかに予め定めた機器に接続された接続プラグが接続され、他の残りのコンセント口に読み取り情報内蔵チップを持つタグを備えた接続プラグが接続可能とされ、当該タグが当該接続プラグに接続される機器で使用予定の設定使用電力を記録し、
前記受信部が、前記タグを備えた接続プラグが当該テーブルタップに４０ｃｍ〜１ｍの通信距離に近接したことを感知して、前記タグに記憶された設定使用電力を受信し、
前記使用電力演算部が、感知情報が受信されたときに当該コンセント口のいくつかに接続された機器での使用電力を累計した累計使用電力を取得し、前記累計使用電力と前記設定使用電力を演算して、想定される想定使用電力を取得し、前記テーブルタップに許容された前記最大使用許容電力から前記想定使用電力を減算し、
前記情報処理部が、減算結果から当該コンセント口での当該機器の使用不可情報を生成し、
前記警告発信部が、当該コンセント口での当該機器の使用不可情報を取得したときに、当該４０ｃｍ〜１ｍの通信距離に基づいて、当該接続プラグの当該テーブルタップへの誤差し込み防止の警告情報を形成し、発信すること
を特徴とするテーブルタップ。
【請求項２】
テーブルタップケースが複数のコンセント口を備えて、各コンセント口に機器が接続可能とされ、当該テーブルタップケースの内部に、受信部と、使用電力演算部と、情報処理部と、警告発信部とを備え、最大使用許容電力が設定されたテーブルタップであって、
前記複数のコンセント口のいくつかに予め定めた機器に接続された接続プラグが接続され、他の残りのコンセント口に読み取り情報内蔵チップを持つタグを備えた接続プラグが接続可能とされ、各タグが当該接続プラグに接続される機器で使用予定の設定使用電力を記憶し、
前記受信部が、一つの接続プラグが当該テーブルタップに４０ｃｍ〜１ｍの通信距離に近接したことを感知して、当該接続プラグに備えたタグに記憶された設定使用電力を受信し、
前記使用電力演算部が、感知情報が受信されたときに前記コンセント口のいくつかに接続されて使用中の機器に設定された設定使用電力を含んで累計した累計設定使用電力を取得し、当該累計設定使用電力と前記設定使用電力を演算して、想定される想定使用電力を取得し、前記テーブルタップに許容された前記最大使用許容電力から前記想定使用電力を減算し、
前記情報処理部が、減算結果から当該コンセント口での当該機器の使用不可情報を生成し、
前記警告発信部が、当該コンセント口での当該機器の使用不可情報を取得したときに、当該４０ｃｍ〜１ｍの通信距離に基づいて、当該接続プラグの当該テーブルタップへの誤差し込み防止の警告情報を形成し、発信すること
を特徴とするテーブルタップ。
【請求項３】
複数の個々のコンセントを備えて、各コンセントに機器が接続可能とされ、受信部と、使用電力演算部と、情報処理部と、警告発信部とを備え、最大使用許容電力が設定された電源タップであって、
前記複数の個々のコンセントのいくつかに予め定めた機器に接続された接続プラグが接続され、他の残りのコンセントに読み取り情報内蔵チップを持つタグを備えた接続プラグが接続可能とされ、当該タグが当該接続プラグに接続される機器で使用予定の設定使用電力を記録し、
前記受信部が、前記タグを備えた接続プラグが当該電源タップに４０ｃｍ〜１ｍの通信距離に近接したことを感知して、前記タグに記録された設定使用電力を受信し、
前記使用電力演算部が、感知情報が受信されたときに当該コンセントのいくつかに接続された機器での使用電力を累計した累計使用電力を取得し、前記累計使用電力と前記設定使用電力を演算して、想定される想定使用電力を取得し、前記電源タップに許容された前記最大使用許容電力から前記想定使用電力を減算し、
前記情報処理部が、減算結果から当該コンセントでの当該機器の使用不可情報を生成し、
前記警告発信部が、当該コンセントでの当該機器の使用不可情報を取得したときに、当該４０ｃｍ〜１ｍの通信距離に基づいて、当該接続プラグの当該電源タップへの誤差し込み防止の警告情報を形成し、発信すること
を特徴とする電源タップ。
【請求項４】
複数の個々のコンセントを備えて、各コンセントに機器が接続可能とされ、受信部と、使用電力演算部と、情報処理部と、警告発信部とを備え、最大使用許容電力が設定された電源タップであって、
前記複数の個々のコンセントのいくつかに予め定めた機器に接続された接続プラグが接続され、他の残りのコンセントに読み取り情報内蔵チップを持つタグを備えた接続プラグが接続可能とされ、当該タグが当該接続プラグに接続される機器で使用予定の設定使用電力を記憶し、
前記受信部が、一つの接続プラグが当該電源タップに４０ｃｍ〜１ｍの通信距離に近接したことを感知して、当該接続プラグに備えたタグに記録された設定使用電力を受信し、
前記使用電力演算部が、感知情報が受信されたときに前記コンセントのいくつかに接続されて使用中の機器に設定された使用限界電力を含んで累計した累計使用限界電力を取得し、当該累計使用限界電力と前記設定使用電力を演算して、想定される想定使用電力を取得し、前記電源タップに許容された前記最大使用許容電力から前記想定使用電力を減算し、
前記情報処理部が、減算結果から当該コンセントでの当該機器の使用不可情報を生成し、
前記警告発信部が、当該コンセントでの当該機器の使用不可情報を取得したときに、当該４０ｃｍ〜１ｍの通信距離に基づいて、当該接続プラグの当該電源タップへの誤差し込み防止の警告情報を形成し、発信すること
を特徴とする電源タップ。
【請求項５】
複数のコンセント口を備えて、各コンセント口に機器が接続可能とされ、受信部を備えた使用電力警告システムを備え、最大使用許容電力が設定されたテーブルタップであって、
前記複数のコンセント口のいくつかに予め定めた機器に接続された接続プラグが接続され、使用電力が取得され、他の残りのコンセント口に読み取り情報内蔵チップを持つタグを備えた接続プラグが接続可能とされ、各タグに当該接続プラグに接続される機器で使用予定の設定使用電力が設定され、
前記使用電力警告システムは、前記受信部が、一つの接続プラグが当該テーブルタップに４０ｃｍ〜１ｍの通信距離に近接したことを感知して、当該接続プラグに備えたタグに記憶された設定使用電力を受信し、前記コンセント口のいくつかに接続されて使用中の機器で使用中の使用電力あるいは使用限界電力を累計した累計使用限界電力を取得し、当該接続プラグが接続直前であることを感知して、感知情報が受信されたときに前記設定使用電力と前記使用電力あるいは前記累計使用限界電力とを演算して、想定使用電力を取得し、前記最大使用許容電力に比較して、大であるときに当該機器の使用について、当該４０ｃｍ〜１ｍの通信距離に基づいて、当該接続プラグの当該テーブルタップへの誤差し込み防止の警告情報を形成し、発信すること
を特徴とするテーブルタップ。
【請求項６】
複数の個々のコンセントを備えて、各コンセントに機器が接続可能とされ、受信部を備えた使用電力警告システムを備え、最大使用許容電力が設定された電源タップであって、
前記複数のコンセントのいくつかに予め定めた機器に接続された接続プラグが接続され、使用電力が取得され、他の残りのコンセントに読み取り情報内蔵チップを持つタグを備えた接続プラグが接続可能とされ、各タグに当該接続プラグに接続される機器で使用予定の設定使用電力が設定され、
前記使用電力警告システムは、前記受信部が、一つの接続プラグが当該電源タップに４０ｃｍ〜１ｍの通信距離に近接したことを感知して、当該接続プラグに備えたタグに記憶された設定使用電力を受信し、前記コンセントのいくつかに接続されて使用中の機器で使用中の使用電力あるいは使用限界電力を累計した累計使用限界電力を取得し、当該接続プラグが接続直前であることを感知して、感知情報が受信されたときに前記設定使用電力と前記使用電力あるいは前記累計使用限界電力とを演算して、想定使用電力を取得し、前記最大使用許容電力に比較して、大であるときに当該機器の使用について、当該４０ｃｍ〜１ｍの通信距離に基づいて、当該接続プラグの当該電源タップへの誤差し込み防止の警告情報を形成し、発信すること
を特徴とする電源タップ。
【請求項７】
請求項１〜６のいずれかに記載されたテーブルタップあるいは電源タップにおいて、読み取り情報内蔵チップを持つタグがＲＦＩＤチップを持つタグであることを特徴とするテーブルタップあるいは電源タップ。
【請求項８】
請求項１〜６のいずれかに記載されたテーブルタップあるいは電源タップにおいて、読み取り情報内蔵チップを持つタグがＱＲコードを持つタグであることを特徴とするテーブルタップあるいは電源タップ。
【請求項９】
複数のコンセント口を備えて、各コンセント口に機器が接続可能とされ、最大使用許容電力が設定されたテーブルタップ及び複数の個々のコンセントを備えて、各コンセントに機器が接続可能とされ、受信部と、使用電力演算部と、情報処理部と、警告発信部とを備え、最大使用許容電力が設定された電源タップを備え、当該テーブルタップ及び電源タップが各使用電力警告システムを備えた施設であって、
前記複数のコンセント口及びコンセントのいくつかに接続プラグを介して機器が接続され、
前記テーブルタップ及び電源タップの双方が、送信部と受信部からなる送受信部と、使用電力演算部と、情報処理部と、警告発信部とを備え、
各送信部が、前記複数のコンセント口あるいはコンセントに接続される接続プラグにＲＦＩＤチップを持つタグを備え、各タグが、当該接続プラグを介してテーブルタップ及び電源タップに接続される機器で使用予定の設定使用電力を記録し、前記受信部が、リーダーを備えて構成され、
各送受信部が、各一つの接続プラグの当該テーブルタップあるいは電源タップに４０ｃｍ〜１ｍの通信距離に近接したことを感知して、当該接続プラグに備えたタグに記憶された設定使用電力を受信し、
各使用電力演算部が、感知情報が受信されたときに前記複数のコンセント口あるいはコンセントのいくつかに接続プラグを介して接続された機器の設定使用電力から累計した累計設定使用電力を取得し、前記累計設定使用電力と前記設定使用電力を演算して、想定される想定使用電力を取得し、前記テーブルタップあるいは前記電源タップに許容された前記最大使用許容電力から前記想定使用電力を減算し、
各情報処理部が、減算結果から当該コンセント口あるいはコンセントでの当該機器の使用不可情報を生成し、
各警告発信部が、当該コンセント口あるいはコンセントでの当該機器の使用不可情報を取得したときに、当該４０ｃｍ〜１ｍの通信距離に基づいて、当該接続プラグの当該テーブルタップあるいは電源タップへの誤差し込み防止の警告情報を形成し、発信することを特徴とする使用電力警告システムを備えた施設。
【発明の詳細な説明】
【技術分野】
【０００１】
本発明は、テーブルタップ、電源タップ及び使用電力警告システムを備えた施設に関する。
【背景技術】
【０００２】
病院の集中治療室（ＩＣＵ）、手術室、病室あるいは研究等の実験室などにおいて各種の医療用の機器あるいは実験用の機器が多数、テーブルタップに接続されて使用される。例えば、集中治療室での治療の際、テ−ブルタップには多数の機器が接続されていて、患者容態に応じてさらに他の機器が接続されることが求められる。
【０００３】
各機器の銘板に当該機器の電流容量が記載され、あるいはテーブルタップに接続される接続プラグを持つ電気コード自体にもテプラテープなどになるタグあるいは感熱印刷されたテープに電流容量が表示され、テーブルタップに設定された許容電流値を超えた追加の接続プラグが接続されないように取り扱う看護師などの医療従事者の便に供される。
【０００４】
集中治療室における非常に慌ただしい環境下で、追加の接続プラグが接続されるとき、病院規則でテーブルタップに設定された許容電流値を超えた追加の接続プラグが接続されないように十分に確認し注意することが求められる。
【０００５】
緊急で多忙を極めると、テーブルタップに設定された許容電流値を超えた追加の接続プラグが接続される恐れがあった。この接続がなされると、分電盤のブレーカーが遮断動作になり、瞬時に接続中のすべての機器の電源が切断されることになる。
【０００６】
従来、警告機能付きテーブルタップが多数提案される。
【０００７】
特許文献１には、コンセント口ごとに使用電力を測定し、過去の最大電力使用量を記憶し、ＰＬＣモデムにより送信する構成を備えて、データ処理部が警告情報を作成し、警告情報を表示することが記載される。
【０００８】
特許文献２には、プラグを差し込んだ段階で許容電力を超えて使用する可能性があるか否かを判断するようにしたコンセント装置が記載される。
【０００９】
特許公報３には、壁コンセントの埋め込みケースやテーブルタップのケースに、電力線搬送通信を行うＰＬＣモデム、電気機器の識別情報や消費電流値を取得するプラグに内蔵したＲＦＩＤセンサと無線通信を行うためのリーダー/ライターを内蔵した通信機能付きの電源用プラグ及びコンセントが記載される。
【先行技術文献】
【特許文献】
【００１０】
【特許文献１】特開２０１２−１９９０５７号公報
【特許文献２】特開２００７−８７８４９号公報
【特許文献３】特開２００６−２４５９８３号公報
【発明の概要】
【発明が解決しようとする課題】
【００１１】
これらの特許文献に記載された技術は、プラグを差し込んだ段階で許容電力を超えているか否かを判断しており、病院の集中治療室などの施設において各種の医療機器がテーブルタップに接続されて使用される場合、緊急で多忙を極めると、テーブルタップに設定された許容電流値を超えた追加の接続プラグが接続される恐れを解決できない。
【００１２】
本発明は、かかる点に鑑み接続プラグを差し込む前に接続プラグの差し込情報を直前に察知し許容電力を超えているか否かを判断し、病院の集中治療室などの施設において各種の医療機器がテーブルタップに接続されて使用される場合、緊急で多忙を極めているときにあっても、テーブルタップに設定された許容電流値を超えた追加の接続プラグが接続される恐れがないようにすることを課題とする。
【課題を解決するための手段】
【００１３】
複数のコンセント口を備えて、各コンセント口に機器が接続可能とされた使用電力警告システムを備え、最大使用許容電力値が設定されたテーブルタップあるいは複数の個々のコンセントを備えて、各コンセントに機器が接続可能とされた使用電力警告システムを備え、最大使用許容電力が設定されたテーブルタップあるいは電源タップを提供する。
【００１４】
当該テーブルタップあるいは電源タップは、次のように構成される。
【００１５】
複数のコンセント口あるいはコンセントのいくつかに予め定めた機器が接続され、他の残りのコンセント口あるいはコンセントに読み取り情報内蔵チップを持つタグタグを備えた接続プラグが接続可能とされる。
【００１６】
当該ＲＦＩＤタグが当該接続プラグに接続される機器で使用予定の設定使用電力を記録する。
【００１７】
読み取り情報内蔵チップを持つタグがＲＦＩＤチップを持つタグであることを特徴とする。あるいは読み取り情報内蔵チップを持つタグがＱＲコードを持つタグであることを特徴とする。
【００１８】
読み取り情報内蔵チップを持つタグがＲＦＩＤチップを持つタグの場合、ＲＦＩＤチップに記録した情報をリーダーで読み取る。
【００１９】
ＲＦＩＤチップを持つＲＦＩＤタグは、（株）日立製作所のμ‐chip（ミューチップ）（登録商標）に代表される。ミューチップは、１２８ビットのＩＤ番号が書き込まれる。このミューチップを持つＲＦＩＤ通信システムが用いられ得る。ＲＦＩＤ通信システムは、ＲＦＩＤタグと、その情報を読み取るリーダー（リーダー／ライターであってもよい）から構成される。ミューチップにはアンテナが内蔵されており、０．４ｍｍ角のチップのみで、受信した電波を動作電力として非接触でＩＤ番号を読み取り機に送信できる。このため、ミューチップは、電源タップ、例えばテーブルタップに容易に埋め込むことあるいは装着することができる。テーブルタップは、壁等に設置されたコンセントから離れた場所の、あるいは複数の電気器具に電源を供給するための電源タップとして知られる。
【００２０】
コンセント口あるいはコンセントのいくつかに予め定めた機器が接続され、他のコンセント口あるいはコンセントにＲＦＩＤチップを持つＲＦＩＤタグを備えた接続プラグが接続可能とされ、当該ＲＦＩＤタグが当該接続プラグに接続される機器で使用予定の設定使用電力が設定される。
【００２１】
読み取り情報内蔵チップを持つタグとしてＱＲコードを持つタグを用いる場合、タップ側すなわち受信側に小型のカメラを装置し、ＱＲコードを持つタグを当該小型のカメラで撮影し、ＱＲコードに記録した情報を取得する。他の読み取り可能なチップ、コードを用いて内蔵情報を読み取るようにしてもよい。
【００２２】
使用電力警告システムが、コンセント口あるいはコンセントのいくつかに接続されて使用中の機器で使用中の使用電力あるいは使用限界電力を累計した累計使用電力を取得し、当該接続プラグが接続直前であることを感知して、設定使用電力と前記累計使用電力とを演算して、想定使用電力を取得し、最大使用許容電力に比較して、大であるときに当該機器の使用について使用電力警告情報を発する。
【００２３】
なお、電力（Ｗ）は、電力値、電力量（Ｗｈ）あるいは電流値に読み替え得る。また、コンセント口は、プラグ差し込み口に読み替え得る。
【発明の効果】
【００２４】
従来の技術にあっては、警告発信部が発するコンセント口あるいはコンセントでの機器の使用不適当情報は、当該コンセント口あるいはコンセントの接続プラグが接続後、すなわち差し込まれて後に累計した使用電力を計測して設定の使用電力と比較することでなされ、病院の集中治療室などでの緊急で多忙を極めている場所での使用に適するものではない。
【００２５】
本発明は、警告発信部が発するコンセント口での機器の使用不適当情報、すなわち使用不可情報は、当該コンセントの接続プラグが接続直前、すなわち差し込まれる直前情報として感知、すなわち察知され、累計した使用電力を想定して設定の使用電力と比較することで比較情報が取得され、分電盤のブレーカーが遮断動作にならず、病院の集中治療室などの施設での緊急で多忙を極めている場所での使用に適する。
【００２６】
このように、接続プラグを差し込む直前に許容電力を超えているか否かを判断し、例えば病院の集中治療室などにおいて各種の医療機器がテーブルタップに接続されて使用される場合、緊急で多忙を極めているときにあっても、テーブルタップに設定された許容電流値を超えた追加の接続プラグが接続される恐れがないようにすることができる。
【図面の簡単な説明】
【００２７】
【図１】本発明が適用されるテーブルタップの例を示す図。
【図２】図１に示す使用電力警告システムの結線図。
【図３】ＣＰＵの機能を示す図。
【図４】電源タップ、例えばテーブルタップ１００に構成される使用電力警告システム１０１の構成及びこれに関連した機器Ａ〜Ｅとの関連構成をブロックで示す図。
【図５】図２に示す使用電力警告システム１０１の結線の変形例を示す図。
【図６】ＣＰＵの機能を示す図。
【図７】図１図２に示される思想が電源タップ２００に応用、展開された例を示す図。
【図８】図４に示される思想が電源タップ２００に応用、展開された例を示す図。
【図９】本発明が適用された病院の集中治療室の構成図。
【発明を実施するための形態】
【００２８】
以下、本発明の実施例について図面を参照して説明する。
【００２９】
図１は、本発明が適用されるテーブルタップ１００の例を示す図である。読み取り情報内蔵チップを持つタグがＲＦＩＤチップを持つタグであることを特徴とする例について以下説明するが、この例に限定されない。
【００３０】
テーブルタップ１００は、警告付きテーブルタップとして構成される。テーブルタップ１００は、そのテーブルタップケース１に複数のコンセント口２、本実施例に場合、７つのコンセント口２を並列して持つ。各コンセント口には、それぞれ接続プラグ３が接続、すなわち差し込み可能とされる。本実施例の場合、４つの接続プラグがコンセント口に差し込まれ、同一構造の一つの接続プラグがスタンドバイされて空白のコンセント口に接続されようとする状態が示される。両者を区別するために前者（接続プラグ差し込まれた接続プラグを３Ａ，後者（差し込み前の接続プラグ）を接続プラグ３Ｂと称する。
【００３１】
テーブルタップ１００は、正面の表面上に各コンセント口に対応して、電源スイッチ４を持ち、左端側面にコード５を持ち、先端に、分電盤のブレーカー（図示せず）を持つ電源に接続される接続プラグ１１を持つ。
【００３２】
接続プラグ３Ａ及び３Ｂは、それぞれコード６〜１０に接続され、コード６〜１０は、それぞれ機器Ａ〜Ｅ、例えば医療機器に接続される。
【００３３】
コード１０には、一つのＲＦＩＤタグ１２が接着して設けられる。ＲＦＩＤタグ１２は、接続プラグ３Ｂの表面に接着あるいは内部に装着されてもよい。ＲＦＩＤタグ１２は、接続プラグ３Ｂと一体になって動く。
【００３４】
テーブルタップ１００は、この例の場合、テーブルタップケース１の内部にテーブルタップでの使用電力についての使用電力警告システム１０１を備える。テーブルタップ１００の正面表面の左端部に起動スイッチ２１を持ち、起動スイッチ２１は、使用電力警告システム１０１を起動させる。
【００３５】
テーブルタップ１００は、この例の場合、正面表面の左端部に起動スイッチ２１に並行して表示部３５を持つ。
【００３６】
テーブルタップケース内に使用電力警告システム１０１が設けられる。受信部３１、使用電力演算部３２、情報処理部３３、警告発信部３４、表示部３５及び表示処理部。テーブルタップケース内に設けられるか、テーブルタップケースの表面に装着される。記憶部３７が設けられてもよい。例えば、受信部３１、使用電力演算部３２、情報処理部３３、警告発信部３４及び表示処理部３６は、テーブルタップケース１の内部に配置され、表示部３５は、正面表面上に装着される。
【００３７】
図２は、図１に示す使用電力警告システム１０１の結線図である。
【００３８】
図２において、テーブルタップ１００は、ＣＰＵ１０２を持つ。使用電力警告システム１０１は、このＣＰＵ１０２を有して形成される。
【００３９】
ＣＰＵ１０２には、電源線４５及び電流計測装置４６からの電流計測値を伝える信号線４７が結ばれる。電流計測装置４６は、コンセント口ごとに設けて計測した各電流計測値をトータルして使用電力としてもよい。
【００４０】
警告発信部が発するコンセント口での機器の使用不適当情報、すなわち使用不可情報は、当該コンセントの接続プラグが接続直前、すなわち差し込まれる直前情報として察知、取得されることが重要である。
【００４１】
ＣＰＵ１０２は、リーダー４１に結ばれる。リーダー４１からの通信データを取り入れる。リーダー４１は、前述した受信部３１を構成し、テーブルタップケース１の内部に配置される。テーブルタップケース１の表面上に装着させてもよい。ＲＦＩＤタグ１２との間で無線通信４２を行うことができる。リーダー４１とＲＦＩＤタグ１２は、１３．５６ＭＨｚ帯のＲＦＩＤシステムで５０ｃｍ〜１ｍ、２．４５ＭＨｚ帯のＲＦＩＤシステムで２〜３ｍ、９５０ＭＨｚ帯のＲＦＩＤシステムで３〜５ｍの通信距離が得られることが知られる。通信距離が数ｃｍ程度の近接型とすることは、接続プラグ３Ｂの差し込み時間の余裕が小さくするので回避するのがよい。ＭＨｚ帯を適切に選択して４０ｃｍ〜１ｍ、望ましくは４０ｃｍ〜５０ｃｍの通信距離が選択される。ＲＦＩＤタグから情報を取得するとき、数百ｍｓかかり、演算とアラーム表示を含めても１秒かからない。４０ｃｍ〜５０ｃｍあれば、アラームが発生してから接続プラグをコンセント口あるいはコンセントに差し込むまでの距離が４０ｃｍ〜５０ｃｍあると、誤って差し込まれない。
【００４２】
また、１ｍ程度での距離で検知できると、テーブルタップ、電源タップが複数あり、例えば、５０ｃｍの間隔で配置されていた場合には、接続したい機器をテーブルタップあるいは電源タップの近くに持っていかなくても、どちらのテーブルタップに接続可能かまた両方が不可なのかも確認も容易である。使用環境に合わせた距離で対応できるようにする。
【００４３】
このようなＭＨｚ帯を持つＲＦＩＤシステムは、接続プラグが接続直前であることを感知するに適する。
【００４４】
テーブルタップ１００に、分電盤のブレーカーが遮断動作しない領域内に最大使用許容電力が設定される。
【００４５】
複数のコンセント口のいくつかに予め定めた機器に接続された接続プラグが接続され、他の残りのコンセント口にＲＦＩＤチップを持つＲＦＩＤタグを備えた接続プラグが接続可能とされる。
ＲＦＩＤタグが接続プラグ３Ｂに接続される機器Ｅの設定使用電力を記憶する。設定使用電力は、多くの場合、定格の使用電力が用いられるが、過去に使用された使用電力の内、最大の使用電力が用いられ得る。
【００４６】
リーダー４１は、接続プラグ３Ｂ、すなわちＲＦＩＤタグ１２が接近したことを感知する。これによって、ＲＦＩＤタグに記憶された設定使用電力を受信する。設定使用電力は、予定使用電力とすることができる。
【００４７】
図３は、ＣＰＵ１０２の機能を示す図である。
【００４８】
ＣＰＵ１０２の機能：
想定使用電力＝累計使用電力＋設定使用電力
最大使用許容電力−想定使用電力＞０（零）の演算
”０”より大の場合：当該機器の使用可の判定
“０”より小もしくは等しい場合：当該機器の使用不可の判定
図４は、電源タップ、例えばテーブルタップ１００に構成される使用電力警告システム１０１の構成及びこれに関連した機器Ａ〜Ｅとの関連構成をブロックで示す図である。
【００４９】
使用電力警告システム１０１は、図２に示したＣＰＵ１０２を含んで構成され、送信部３０、受信部３１、使用電力演算部３２、情報処理部３３、警告発信部３４、表示部３５、表示処理部３６及び記憶部３７の全部あるいはこれらの大部分を含んで構成される。
・送信部３０について
送信部３０は、電流計測装置４６電流計測を行ってＣＰＵ１０２に伝える電流計測装置４６及びＲＦＩＤタグ１２によって構成される。電流計測装置４６は、機器Ａ〜Ｄで使用中の使用中電力をＣＰＵ１０２に伝え、ＲＦＩＤタグ１２は、設定使用電力あるいは予定使用電力をＣＰＵ１０２に伝える。
・受信部３１について
無線通信を行うリーダー４１を備え、ＲＦＩＤタグ１２を備えた接続プラグ３Ｂがテーブルタップ１００に近接したことを感知して、ＲＦＩＤタグ１２に記憶された設定使用電力から予定使用電力を受信する。
【００５０】
送信部３０と受信部３１とで送受信部が形成され、ＲＦＩＤ通信システムが形成される。
・使用電力演算部３２について
コンセント口２のいくつかに接続された機器で使用中の使用電力値を累計した累計使用電力を取得し、累計使用電力値と予定使用電力を演算して、想定される想定使用電力を取得し、リーダー４１とＲＦＩＤタグ１２との位置関係で設定された距離域内においてテーブルタップ１００に許容された最大使用許容電力から想定使用電力を減算する演算を行う。
・情報処理部３３について
減算結果から当該コンセント口での当該機器の使用不可情報を生成する。
・警告発信部３４について
コンセント口での当該機器の使用不可情報を取得したときに警告情報を当該テーブルタップ外に発信する。
【００５１】
演算の結果に基づいてコンセント口あるいはコンセントの使用意図に対してコンセント口あるいはコンセントへの接続プラグの接続操作直前に警告情報を発信する。接続操作直前とは、コンセント口あるいはコンセントと接続プラグとの位置関係が近距離状態にあり、通常数秒以内にコンセント口あるいはコンセントと接続プラグが接続されることを示す。当該警告情報は、ブザー４８を用いた音警告あるいは光点滅装置４９による光点滅警告、あるいはこれら双方による警告でなされ得る。
・表示部３５について
使用電力演算部３２で演算された演算結果及び情報処理部３３で生成された警告情報を表示する。
・表示処理部３６について
表示部３５の画面に表示するための処理を行う。
・記憶部３７について
各種のプログラムを格納する。
【００５２】
図５は、図２に示す使用電力警告システム１０１の結線の変形例を示す図である。
【００５３】
図５に示される変形例は、図２に示される結線図と実質同一になるものであるが、図２に示されるものが使用中の使用電力についての情報を受信しているのに対して、図５に示される例では、コンセント口に接続されるすべての接続プラグ３にＲＦＩＤタグ１２Ａ〜１２Ｅが装着されて、別途取得された機器Ａ〜Ｄが使用中であることの情報が入力されている条件下で、使用中の接続プラグに関連したＲＦＩＤタグ１２Ａ〜１２Ｄについて、機器Ａ〜Ｄが使用する電力から設定された設定使用電力についての情報が入力され、演算に用いられる。
【００５４】
別途取得された機器Ａ〜Ｄが使用中であることの情報は、各コンセント口に接続された配線に設けた電流計測装置４６Ａ〜４６Ｇの内の電流計測装置４６Ａ〜４６Ｄによって取得される。ＲＦＩＤタグ１２Ｅから設定使用電力あるいは予定使用電力が発信され、ＣＰＵ１０２に取得される。電流計測装置４６Ａ〜４６Ｄによって運転時の実際の使用電力がＣＰＵ１０２に取得されるようにしてもよい。このようにすることで、設定使用電力あるいは予定使用電力の一部に運転時の実際の使用電力を用いることができる。
【００５５】
このように、複数のコンセント口のいくつかに接続プラグを介して機器が接続され、
前記複数のコンセントに接続される接続プラグにＲＦＩＤチップを持つＲＦＩＤタグを備え、当該ＲＦＩＤタグが、当該接続プラグを介してテーブルタップに接続される機器で使用予定の設定使用電力を記憶し、
送受信部と、使用電力演算部と、情報処理部と、警告発信部とを備え、
前記送受信部が、ＲＦＩＤタグを備えた接続プラグが当該テーブルタップに近接したことを感知して、前記ＲＦＩＤタグに記憶された設定使用電力を受信し、
前記使用電力演算部が、感知情報が受信されたときに前記複数のコンセント口のいくつかに接続プラグを介して接続された機器の設定使用電力を含んで累計した累計設定使用電力値を取得し、前記累計設定使用電力値と前記設定使用電力を演算して、想定される想定使用電力を取得し、前記テーブルタップに許容された前記最大使用許容電力値から前記想定使用電力を減算し、
前記情報処理部が、減算結果から当該コンセント口での当該機器の使用不可情報を生成し、
前記警告発信部が、当該コンセント口での当該機器の使用不可情報を取得したときに、当該４０ｃｍ〜１ｍの通信距離に基づいて、当該接続プラグの当該テーブルタップへの誤差し込み防止の警告情報を形成し、発信する
を特徴とするテーブルタップが構成される。
【００５６】
上述で、“設定使用電力を含んで”としたのは、一部に実際に計測された実測の使用電力を採用し得ることによる。
【００５７】
図５に示す例にあっても、図４に示されるテーブルタップの機能が採用される。
【００５８】
この場合に、ＲＦＩＤタグ１２Ａ〜１２Ｄへの設定使用電力の記憶に代えて、記憶部３７に設定使用電力を記憶しておいて、コンセント口ごとの電力使用に対応して設定使用電力を選択して累計した設定使用電力を演算することができる。
【００５９】
図６は、本例の場合のＣＰＵの機能を示す図である。
【００６０】
ＣＰＵ１０２の機能：
想定使用電力＝累計設定使用電力＋設定使用電力
最大使用許容電力−想定使用電力＞０（零）の演算
”０”より大の場合：当該機器の使用可の判定
“０”より小もしくは等しい場合：当該機器の使用不可の判定
図７は、図１、図２に示される思想が電源タップ２００に応用、展開された例を示す図である。機器Ｆ〜機器Ｊが示される。
【００６１】
図１、図２に示される例にあっては、テーブルタップケース内に使用電力警告システム１０１が設けられ、受信部３１、使用電力演算部３２、情報処理部３３、警告発信部３４、表示部３５及び表示処理部３６は、テーブルタップケース内にあるいはテーブルタップケース１に装着して設けられた。これに対して、図５に示す例では、テーブルタップケースがなく、各コンセント２Ａが独立形態をなす。各コンタクト２Ａは、図１、図２に示されるコンタクト口２に相当する。したがって、使用電力警告システム１０１は、コンセント外に配置されるＣＰＵ１０２内に構成されて、使用電力警告システム１０１を持つ電源タップ２００が構成される。
【００６２】
図７に示す例にあっても、図４に示されるテーブルタップの機能が採用される。
【００６３】
この場合に、テーブルタップ１００は、電源タップ２００に読み替えられる。
【００６４】
これによれば、複数の個々のコンセントを備えて、各コンセントに機器が接続可能とされ、受信部と、使用電力演算部と、情報処理部と、警告発信部とを備え、最大使用許容電力が設定された電源タップであって、
前記複数の個々のコンセントのいくつかに予め定めた機器に接続された接続プラグが接続され、他の残りのコンセントに読み取り情報内蔵チップを持つタグを備えた接続プラグが接続可能とされ、当該タグが当該接続プラグに接続される機器で使用予定の設定使用電力を記録し、
前記受信部が、前記タグを備えた接続プラグが当該電源タップに４０ｃｍ〜１ｍの通信距離に近接したことを感知して、前記タグに記録された設定使用電力を受信し、
前記使用電力演算部が、感知情報が受信されたときに当該コンセントのいくつかに接続された機器での使用電力を累計した累計使用電力を取得し、前記累計使用電力と前記設定使用電力を演算して、想定される想定使用電力を取得し、前記電源タップに許容された前記最大使用許容電力から前記想定使用電力を減算し、
前記情報処理部が、減算結果から当該コンセントでの当該機器の使用不可情報を生成し、
前記警告発信部が、当該コンセントでの当該機器の使用不可情報を取得したときに、当該４０ｃｍ〜１ｍの通信距離に基づいて、当該接続プラグの当該電源タップへの誤差し込み防止の警告情報を形成し、発信することを特徴とする電源タップが提案される。
【００６５】
図８は、図５に示される思想が電源タップ２００に応用、展開された例を示す図である。機器Ｆ〜機器Ｊが示される。
【００６６】
図５に示される例にあっては、テーブルタップケース内に使用電力警告システム１０１が設けられた。受信部３１、使用電力演算部３２、情報処理部３３、警告発信部３４、表示部３５及び表示処理部３６は、テーブルタップケース内にあるいはテーブルタップケース１に装着して設けられた。これに対して、図８に示す例では、テーブルタップケースがなく、各コンセント２Ａが独立形態をなす。各コンセント２Ａは、図１図２に示されるコンセント口２に相当する。したがって、使用電力警告システム１０１は、コンセント外に配置されるＣＰＵ１０２内に構成されて、使用電力警告システム１０１を持つ電源タップ２００が構成される。
【００６７】
図８に示す例にあっても、図４に示されるテーブルタップの機能が採用される。
【００６８】
この場合に、テーブルタップ１００は、電源タップ２００に読み替えられる。
【００６９】
これによれば、複数の個々のコンセントを備えて、各コンセントに機器が接続可能とされ、受信部と、使用電力演算部と、情報処理部と、警告発信部とを備え、最大使用許容電力が設定された電源タップであって、
前記複数の個々のコンセントのいくつかに予め定めた機器に接続された接続プラグが接続され、他の残りのコンセントに読み取り情報内蔵チップを持つタグを備えた接続プラグが接続可能とされ、当該タグが当該接続プラグに接続される機器で使用予定の設定使用電力を記憶し、
前記受信部が、一つの接続プラグが当該電源タップに４０ｃｍ〜１ｍの通信距離に近接したことを感知して、当該接続プラグに備えたタグに記録された設定使用電力を受信し、
前記使用電力演算部が、感知情報が受信されたときに前記コンセントのいくつかに接続されて使用中の機器に設定された使用限界電力を含んで累計した累計使用限界電力を取得し、当該累計使用限界電力と前記設定使用電力を演算して、想定される想定使用電力を取得し、前記電源タップに許容された前記最大使用許容電力から前記想定使用電力を減算し、
前記情報処理部が、減算結果から当該コンセントでの当該機器の使用不可情報を生成し、
前記警告発信部が、当該コンセントでの当該機器の使用不可情報を取得したときに、当該４０ｃｍ〜１ｍの通信距離に基づいて、当該接続プラグの当該電源タップへの誤差し込み防止の警告情報を形成し、発信すること  を特徴とする電源タップが提案される。
【００７０】
以上、読み取り情報内蔵チップを持つタグがＲＦＩＤチップを持つタグであることを特徴とする例について説明したが、読み取り情報内蔵チップを持つタグがＱＲコードを持つタグであることを特徴としたテーブルタップあるいは電源タップを構成することができる。この場合、ＲＦＩＤチップを持つタグを、ＱＲコードを持つタグに、リーダーを小型カメラに、そしてＲＦＩＤ通信システムを撮像情報処理システムに読み替えるものとする。ＱＲコードを持つタグ以外にも２次元バーコードを持つタグが使用可能である。複数のコンセント口のいくつかに予め定めた機器に接続された接続プラグが接続され、他の残りのコンセント口に読み取り情報内蔵チップを持つタグを備えた接続プラグが接続可能とされる。
【００７１】
複数のコンセント口を備えて、各コンセント口に機器が接続可能とされ、最大使用許容電力値が設定されたテーブルタップを備え、当該テーブルタップが使用電力警告システムを備えた病院の集中治療室が提案される。
【００７２】
図９は、本発明が適用される典型的な例としての病院の集中治療室の構成図である。
【００７３】
本実施例になる病院の集中治療室３００は、既存の集中治療室の形態で、内部の室内に、複数のコンセント口を備えて、各コンセント口に機器が接続可能とされ、最大使用許容電力値が設定されたテーブルタップ及び複数の個々のコンセントを備えて、各コンセントに機器が接続可能とされ、受信部と、使用電力演算部と、情報処理部と、警告発信部とを備え、最大使用許容電力が設定された電源タップを備える。当該テーブルタップ及び電源タップが各使用電力警告システムを備える。
【００７４】
図９において、病院の集中治療室３００は、コンセント口あるいはコンセントのいくつかに予め定めた機器が接続され、他のコンセント口あるいはコンセントにＲＦＩＤチップを持つＲＦＩＤタグを備えた接続プラグが接続可能とされ、当該ＲＦＩＤタグが当該接続プラグに接続される機器で使用予定の設定使用電力が設定され、
使用電力警告システム１０１が、前記コンセント口あるいはコンセントのいくつかに接続されて使用中の機器で使用中の使用電力あるいは使用限界電力値を累計した累計使用電力値を取得し、設定使用電力と使用電力あるいは累計使用電力値とを演算して、想定使用電力を取得し、最大使用許容電力に比較して、大であるときに当該機器の使用について使用電力警告情報を発するテーブルタップ１００あるいは電源タップ２００を備える。
【００７５】
病院の集中治療室３００は、具体的には次のように構成される。
複数のコンセント口及びコンセントのいくつかに接続プラグを介して機器が接続される。
【００７６】
テーブルタップ及び電源タップの双方が、送信部と受信部からなる送受信部と、使用電力演算部と、情報処理部と、警告発信部とを備える。
【００７７】
各送信部が、前記複数のコンセント口あるいはコンセントに接続される接続プラグにＲＦＩＤチップを持つＲＦＩＤタグを備え、各ＲＦＩＤタグが、当該接続プラグを介してテーブルタップ及び電源タップに接続される機器で使用予定の設定使用電力を記憶し、前記受信部が、リーダーを備えて構成される。
【００７８】
各送受信部が、各一つの接続プラグの当該テーブルタップあるいは電源タップへの近接したことを感知して、当該接続プラグに備えたＲＦＩＤタグに記憶された設定使用電力を受信する。
【００７９】
各使用電力演算部が、複数のコンセント口あるいはコンセントのいくつかに接続プラグを介して接続された機器の設定使用電力から累計した累計設定使用電力値を取得し、累計設定使用電力値と前記設定使用電力を演算して、想定される想定使用電力を取得し、テーブルタップあるいは電源タップに許容された最大使用許容電力値から前記想定使用電力を減算する。
【００８０】
各情報処理部が、減算結果から当該コンセントでの当該機器の使用不可情報を生成し、
各警告発信部が、当該コンセント口での当該機器の使用不可情報を取得したときに警告情報を発信する。
【００８１】
本実施例が適用される利用場所としては、各種の施設がある。例えば、病院については、集中治療室、手術室、病室がある。その他、電力遮断が実験・試験結果の大きな影響を及ぼす実験・試験室、細菌培養環境室、生物の孵化環境室などがある。
【符号の説明】
【００８２】
１００…テーブルタップ（警告付きテーブルタップ）、１０１…使用電力警告システム、１０２…ＣＰＵ、２００…電源タップ、３００…病院の集中治療室、１…テーブルタップケース、２…コンセント口、２Ａ…コンセント、３…接続プラグ、３Ａ…差し込まれた接続プラグ、３Ｂ…差し込み前の接続プラグ、６〜１０…コード、１２、１２Ａ〜１２Ｅ…ＲＦＩＤタグ、３１…受信部、３２…使用電力演算部、３３…情報処理部、３４…警告発信部、３５…表示部、３６表示処理部、３７…記憶部、４１…リーダー、４６、４６Ａ〜４６Ｇ…電流計測装置  ４８…ブザー、４９…光点滅装置。
【要約】
【課題】接続プラグを差し込む前に許容電力を超えているか否かを判断し、例えば病院の集中治療室などにおいて各種の医療機器がテーブルタップに接続されて使用される場合、緊急で多忙を極めているときにあっても、テーブルタップに設定された許容電流値を超えた追加の接続プラグが接続される恐れがないようにする。
【解決手段】使用電力演算部が、感知情報が受信されたときに複数のコンセント口あるいはコンセントのいくつかに接続プラグを介して接続された機器の設定使用電力から累計した累計設定使用電力値を取得し、累計設定使用電力値と設定使用電力を演算して、想定される想定使用電力を取得し、テーブルタップに許容された最大使用許容電力値から想定使用電力を減算する演算を行い、その結果に基づいてコンセント口あるいはコンセントの使用意図に対して使用操作直前に警告する。
【選択図】図１【図１】
0006807124.tif 000002
【図２】
0006807124.tif 000003
【図３】
0006807124.tif 000004
【図４】
0006807124.tif 000005
【図５】
0006807124.tif 000006
【図６】
0006807124.tif 000007
【図７】
0006807124.tif 000008
【図８】
0006807124.tif 000009
【図９】
0006807124.tif 000010